(57)【要約】【課題】防火性を確保しながら、換気性能の高い軒天換気材を提供することを目的としている。【解決手段】上記課題を解決するために、軒天換気材１は、底板部１１、底板部１１の前端から上方に立ち上がるように形成された前板部１２、前板部１２の上端から後側に延びるように形成された上板部１３、底板部１１の後端から上方に立ち上がるように形成され、複数の通気孔１４１が形成された通気板部１４、通気板部１４の後面と対向するように形成され、外装材に取り付けられるための見切板部１５、及び通気板部１４と見切板部１５との間に渡って、通気板部１４と見切板部１５とを連結するように形成された連結板部１６を備え、上板部１３の後端と通気板部１４の上端との間が開放されて、この開放部位Ｏ２で、底板部１１、前板部１２、上板部１３、及び通気板部１４で囲まれた通気空間Ｏ１と小屋裏との間の通気路が形成される。【選択図】図１
2014156704.tif 000002
【特許請求の範囲】
【請求項１】
建物の外装材と軒との間に設置され、前記建物の小屋裏の換気を行うための軒天換気材であって、
底板部、
前記底板部の前端から上方に立ち上がるように形成された前板部、
前記前板部の上端から後側に延びるように形成された上板部、
前記底板部の後端から上方に立ち上がるように形成され、複数の通気孔が形成された通気板部、
前記通気板部の後面と対向するように形成され、前記外装材に取り付けられるための見切板部、及び
前記通気板部と前記見切板部との間に渡って、前記通気板部と前記見切板部とを連結するように形成された連結板部を備え、
前記上板部の後端と前記通気板部の上端との間が開放されて、この開放部位で、前記底板部、前記前板部、前記上板部、及び前記通気板部で囲まれた通気空間と前記小屋裏との間の通気路が形成される、
軒天換気材。
【請求項２】
前記上板部は、その後端から下方に延びる雨返し板部を有する請求項１に記載の軒天換気材。
【請求項３】
前記見切板部は、下端で折り返されて前後で二重に形成されており、その後側の上端から後方に向かって上に傾斜するように形成された傾斜板部を更に備えた、
請求項１又は２に記載の軒天換気材。
【請求項４】
前記上板部は、前記建物への取り付けのための第１の取付け用孔が形成され、
前記前板部は、その上側部分における前記第１の取付け用孔に対応する位置に、第２の取付け用の孔が形成された、
請求項１から３の何れかに記載の軒天換気材。
【請求項５】
前記通気板部は、その下端部分に水抜き用孔が形成された、
請求項１から４の何れかに記載の軒天換気材。
【発明の詳細な説明】
【技術分野】
【０００１】
本発明は、建物の外壁と軒との間に設置され、建物の小屋裏の換気を行うための軒天換気材に関する。
【背景技術】
【０００２】
従来、建物の外壁と軒との間に軒天換気材を設置し、この軒天換気材によって建物の小屋裏の換気を行うことは一般的に行われていた。このような軒天換気材には、通気孔が形成されており、この通気孔からその内部の通気空間を通って小屋裏の換気口に到るまでの通気路が形成されている。このような軒天換気材では、例えば、特許文献１及び特許文献２に示すように、通気孔は底面に形成されることが一般的である。
【先行技術文献】
【特許文献】
【０００３】
【特許文献１】特開２００６−１４４４９６号公報
【特許文献２】特開２００６−１４４４９７号公報
【発明の概要】
【発明が解決しようとする課題】
【０００４】
近年、我が国の住宅事情により、隣り合う家屋同士が密接して建てられることが増えている。このような場合には、隣り合う家屋における壁の間の距離が短くなるため、軒の出が小さい家屋が増えている。
【０００５】
上述した従来の軒天換気材では、その底面に通気孔が形成されている。このため、軒の出が小さい建物に対応するためには、従来の軒天換気材では、通気孔の幅寸法（軒の突出方向の幅寸法）を大きくすることができず、有効換気面積を十部に確保することが難しい。このため、軒天換気材が良好な換気性能を得ることが難しい。
【０００６】
また、上述したように、近年、隣り合う家屋同士が密接して建てられることが増えているため、隣の家屋で火災が発生した場合に、隣の家屋から小屋裏に延焼するリスクが高くなる。このような事情の下、通気孔を介して炎が侵入することを防止するために、従来の軒天換気材では、通気孔の面積を小さくする必要があった。しかしながら、通気孔の面積を小さくすると、有効換気面積を十部に確保することが難しくなり、軒天換気材が良好な換気性能を得ることは難しい。
【０００７】
そこで、本発明の課題は、防火性を確保しながら、換気性能の高い軒天換気材を提供することである。
【課題を解決するための手段】
【０００８】
上記課題を解決するために、本発明は、建物の外壁と軒との間に設置され、前記建物の小屋裏の換気を行うための軒天換気材であって、底板部、前記底板部の前端から上方に立ち上がるように形成された前板部、前記前板部の上端から後側に延びるように形成された上板部、前記底板部の後端から上方に立ち上がるように形成され、複数の通気孔が形成された通気板部、前記通気板部の後面と対向するように形成され、前記外壁に取り付けられるための見切板部、及び前記通気板部と前記見切板部との間に渡って、前記通気板部と前記見切板部とを連結するように形成された連結板部を備え、前記上板部の後端と前記通気板部の上端との間が開放されて、この開放部位で、前記底板部、前記前板部、前記上板部、及び前記通気板部で囲まれた通気空間と前記小屋裏との間の通気路が形成される。
【０００９】
上記構成によれば、空気が、通気板部の通気孔から上記通気空間を通って、上板部の後端と通気板部の上端との間の開放部位から小屋裏に入り、これによって小屋裏が換気される。ここで、通気孔は、底板部から上方に立ち上がるように形成された通気板部に設けられている。なお、通常、底面は水平に配置され、このため、通気板部は垂直に配置される。従って、通気板部は、軒の突出方向と交差する方向に延びることになるため、軒の出が小さい場合であっても、通気孔の有効換気面積を十分に確保することができるように、通気孔を形成することができる。また、通気板部は、前板部の後ろ側にあり、建物の外壁側に配置される。このため、通気孔は、軒天換気材において、建物の外壁側に、すなわち隣家の反対側に形成されることになり、隣家等の火災時に炎が通気孔から軒天換気材に侵入し難く、高い防災効果を得ることができる。また、同様の理由から、雨水等も、通気孔から侵入し難くなる。更に、通気孔が軒下から目立たなくなるため、美観に優れた軒天換気材を提供することができる。
【００１０】
上記上板部は、その後端から下方に延びる雨返し板部を有してもよい。
【００１１】
上記構成によれば、上板部の後端と通気板部の上端との間の開放部位から、炎や雨水が軒天換気材へ侵入することを効果的に防止することができる。
【００１２】
上記見切板部は、下端で折り返されて前後で二重に形成されており、その後側の上端から後方に向かって上に傾斜するように形成された傾斜板部を更に備えてもよい。
【００１３】
上記構成によれば、見切板部が二重に形成されているため、外壁との取付け部分を頑丈に形成することができる。また、見切板部側が下になるように傾斜した傾斜板部が設けられているため、見切板部を外壁の上部に取り付け、かつ、傾斜板部を外壁の上端の上に配置することで、建物の内部に侵入した雨水や湿気等を底板部側に向かって流すことができる。
【００１４】
上記上板部は、建物への取り付けのための第１の取付け用孔が形成されてよく、上記前板部は、その上側部分における前記第１の取付け用孔に対応する位置に、第２の取付け用の孔が形成されてもよい。
【００１５】
上記構成によれば、第１の取付け用の孔を介して、上板部をビス等で建物に取り付ける場合に、第２の取付け用の孔を介して、取付け作業を行うことができる。例えば、第２の取付け用の孔を介して、上板部の内側から、第１の取付け用の孔にビスを斜め上方に打ち込むこと等で、軒天換気材を容易に建物に取り付けることができる。
【００１６】
上記通気板部は、その下端部分に水抜き用孔が形成されてもよい。
【００１７】
上記構成によれば、通気空間に侵入して底板部上に溜まった雨水等を、水抜き用孔を介して軒天換気材の外部に排水することができる。
【００１８】
軒天換気材は、金属を折り曲げ加工して形成されてもよい。
【００１９】
上記構成によれば、容易に軒天換気材を形成することができる。
【発明の効果】
【００２０】
上記構成によれば、通気孔の有効換気面積を十分に確保することができるため、換気性能の高い軒天換気材を提供することができる。また、通気孔は、軒天換気材における、建物の外壁側にすなわち隣家と反対側に形成されているため、隣家等の火災時に炎が通気孔から軒天換気材に侵入し難く、高い防災効果を得ることができる。これによって、防火性を確保しながら、換気性能の高い軒天換気材を提供することができる。
【図面の簡単な説明】
【００２１】
【図１】（ａ）は、本実施形態にかかる軒天換気材の正面図であり、（ｂ）は、本実施形態にかかる軒天換気材の右側面図である。
【図２】本実施形態に係る軒天換気材の一部切欠き斜視図である。
【図３】軒天換気材を建物に取付けた状態を示す図である。
【図４】本実施形態にかかる軒天換気材の平面図である。
【図５】図１（ａ）で示す軒天換気材のＡ−Ａ矢視断面図である。
【図６】図１（ｂ）で示す軒天換気材のＢ−Ｂ矢視断面図である。
【図７】図６で示す軒天換気材のＣ−Ｃ矢視断面図である。
【図８】本実施形態に係る軒天換気材における空気の流れの説明図である。
【発明を実施するための形態】
【００２２】
以下、本発明の好適な一実施形態について、図面を参照しつつ説明する。
（軒天換気材の全体構成）
図１から図３を用いて本実施形態にかかる軒天換気材の概要を説明する。図１（ａ）は、本実施形態にかかる軒天換気材の平面図であり、図１（ｂ）は、本実施形態にかかる軒天換気材の右側面図である。図２は、本実施形態に係る軒天換気材の一部切欠き斜視図である。図３は、軒天換気材を建物に取付けた状態を示す図である。なお、本明細書において、「前」とは図１（ｂ）における軒天換気材の左を示し、「後」とは図１（ｂ）における軒天換気材の右を示し、「上」とは図１（ｂ）における軒天換気材の上を示し、「下」とは図１（ｂ）における軒天換気材の下を示す。また、「右」とは、図１（ａ）における軒天換気材の右であり、図１（ｂ）軒天換気材における手前を示す。また、「左」とは、図１（ａ）における軒天換気材の左であり、図１（ｂ）における軒天換気材の奥を示す。
【００２３】
図３で示すように、本実施形態に係る軒天換気材１は、建物１００の外装材２００（本発明の「外壁」の一例）と軒３００との間に設置され、建物１００の小屋裏４００の換気を行うための部材である。建物１００では、外装材２００（本発明の「外壁」の一例）が柱に取り付けられて垂直方向に立ち上がるように形成されているとともに、軒３００が外装材２００から突出して下方に向かって傾斜するように形成されている。なお、本実施形態では、軒３００は軒桁から下方に向かって傾斜するように形成されているが、上方に向かって傾斜しても、或いは傾斜しなくてもよい。そして、建物１００では、外装材２００の上方に、小屋裏４００を換気するための換気口Ｏ４が形成されており、この換気口Ｏ４部分に軒天換気材１が配置される。
【００２４】
図１（ａ）、図２で示すように軒天換気材１は、例えば、全長約９１０ｍｍの長尺状の部材であり、長手方向が建物１００の幅方向に一致するように、外装材２００に取り付けられる。なお、本実施形態では、軒天換気材１は、一枚の金属板を屈曲して形成されているが、複数枚の金属板を組み合わせて形成されてもよいし、樹脂とされることもできる。
【００２５】
軒天換気材１は、通気空間Ｏ１を形成するように、底板部１１、底板部１１の前端から上方に立ち上がるように形成された前板部１２、前板部１２の上端から後側に延びるように形成された上板部１３、底板部１１の後端から上方に立ち上がるように形成された通気板部１４を有する。なお、軒天換気材１が外装材２００に取り付けられた状態を説明すると、底板部１１及び上板部１３は、略水平に配置され、軒３００の突出方向と略一致する方向に延びるように配置される。前板部１２及び通気板部１４は、外装材２００の立ち上がり方向（垂直方向）に延びるように配置され、軒３００の突出方向に交差する方向に延びるように形成されている。また、通気板部１４が、前板部１２よりも建物１００側に配置される。
【００２６】
図２で示すように、通気板部１４には複数の通気孔１４１が形成されており、軒天換気材１では、この複数の通気孔１４１を介して、空気が通気空間Ｏ１内に入り込むようになっている。上述したように、本実施形態では、通気板部１４が軒３００の突出方向に交差する方向に延びるように形成され、かつ通気孔１４１が通気板部１４に形成されているため、軒３００の出の大きさに寸法の制限を受けずに、通気孔１４１を形成することができる。このため、軒３００の出が小さい場合であっても、通気孔１４１の有効換気面積を十分に確保することができる。また、通気板部１４が、軒天換気材１における、建物１００側（外装材２００側）にすなわち隣家と反対側に形成されている。このため、通気孔１４１が、軒天換気材１における建物１００側（外装材２００側）に形成されることになる。従って、隣家等の火災時に炎が通気孔１４１から軒天換気材１に侵入し難く、高い防災効果を得ることができる。また、雨水等も、通気孔１４１から侵入し難くなる。更に、通気孔１４１が軒下から目難くなるため、美観に優れた軒天換気材１を提供することができる。
【００２７】
また、軒天換気材１は、通気板部１４の後面と対向するように形成され、外装材２００に取り付けられるための見切板部１５、及び通気板部１４の上側部分と見切板部１５の上側部分との間に渡って、通気板部１４と見切板部１５とを連結するように形成された連結板部１６とを備えている。見切板部１５は、外装材２００に固着される等して取付けられる部材である。この見切板部１５が外装材２００に取り付けられることで、連結板部１６を介して底板部１１、前板部１２、上板部１３、及び通気板部１４を外装材２００に取り付けることができる。
【００２８】
軒天換気材１は、上板部１３の後端と通気板部１４の上端との間が開放されて、この開放部位Ｏ２で、底板部１１、前板部１２、上板部１３、及び通気板部１４で囲まれた通気空間Ｏ１と小屋裏４００との間の通気路が形成される。これによって、複数の通気孔１４１から流入した空気が、通気空間Ｏ１内に入り込み、開放部位Ｏ２及び換気口Ｏ４を通って小屋裏４００に流入することになり、小屋裏４００に通気を行うことができるようになっている。このように、軒天換気材１は、小屋裏４００を換気することができるようになっている。
【００２９】
なお、軒天換気材１は、上述したように見切板部１５を介して外装材２００に取り付けられるが、軒３００の下側に配置された部材（図３の例では、軒３００の下側において垂直方向に延びる鼻かくし用下地）に上板部１３をビス等で固定することで、より強固に建物１００に取り付けられる。この取り付け構造の具体例を説明すると、上板部１３は、建物１００への取り付けのための取付け用孔１３１（本発明の「第１の取付け用孔」の一例）が形成されており、この取付け用孔１３１に対してビス等を建物１００に対して打ち込むことで、軒天換気材１は建物１００に取り付けられる。
【００３０】
ここで、上述した取付け作業のために、前板部１２は、その上部における取付け用孔１３１に対応する位置に、取付け用孔１２１（本発明の「第２の取付け用の孔」の一例）が形成されている。この取付け用孔１２１を介して、施工者は、上述したような、上板部１３の建物１００への取付け作業を行うことができ、軒天換気材１を容易に建物１００に取り付けることができる。
【００３１】
（軒天換気材１の各構成部の詳細説明）
以下に、図１から図７を用いて、軒天換気材１の各構成部、具体的には、底板部１１、前板部１２、上板部１３、通気板部１４、見切板部１５、及び連結板部１６を詳細に説明する。図４は、本実施形態にかかる軒天換気材１の平面図である。なお、図４の下側が軒天換気材１の前側になる。図５は、図１（ａ）で示す軒天換気材１のＡ−Ａ矢視断面図である。図６は、図１（ｂ）で示す軒天換気材１のＢ−Ｂ矢視断面図である。図７は、図６で示す軒天換気材１のＣ−Ｃ矢視断面図である。
【００３２】
（軒天換気材１の各構成部の詳細説明：底板部１１）
図１（ａ）（ｂ）及び図５を用いて底板部１１の構成を説明する。底板部１１は、軒天換気材１の底面を構成し、長方形（例えば、１３ｍｍ×９１０ｍｍの長方形）の平板状に形成されている。底板部１１は、水平方向に延びるように、かつその長尺方向が左右方向に一致するように形成される。底板部１１の前縁には、この縁から上方（例えば真上）に向かって立ち上がるように、前板部１２が延設されている。また、底板部１１の後縁には、この縁から上方（例えば真上）に向かって立ち上がるように、通気板部１４が延設されている。
【００３３】
（軒天換気材１の各構成部の詳細説明：通気板部１４）
図１（ａ）（ｂ）、図２、図５から図７を用いて通気板部１４の構成を説明する。通気板部１４は、長方形（例えば、２９．２ｍｍ×９１０ｍｍの長方形）の平板状に形成されており、垂直方向に延びるように形成されている。また、通気板部１４は、その長尺方向が左右方向に一致するように形成されている。通気板部１４の上縁には、この上縁から後方（例えば真後）に延びるように、連結板部１６が延設されている。また、通気板部１４には、複数（例えば４２個）の通気部１４１ｂからなる通気部群１４１ａが左右方向に並んで複数（例えば３つ）形成されている。なお、本実施形態では、通気部群１４１ａが、所定間隔（例えば、３０ｍｍ）を開けて３つ形成されているが、３つより多い又は少ない個数形成されていてもよい。また、複数の通気部１４１ｂが形成されていればよく、群をなすように複数の通気部１４１ｂが形成されていなくてもよい。
【００３４】
通気部１４１ｂは、図６及び図７で示すように、前側に向かって所定寸法（例えば、２．５ｍｍ）だけ凹むように形成された、上下方向に長い略直方体状の凹部１４１１を有する。この凹部１４１１の左右方向の各側部には通気孔１４１が形成されている。このように形成された、各通気孔１４１は、上下方向に所定距離（例えば、１８．２ｍｍ）だけ延びる長方形のスリット状に形成される。このように、スリットの延びる方向が上下方向であるため、スリットの延びる方向が前後方向である場合に比較して、軒の出が小さい場合であっても、スリットの長さを十分に確保することができる。このため、各通気孔１４１の有効換気面積を広くすることができる。更に、通気部１４１ｂは、凹部１４１１の側部に通気孔１４１が形成された形状を有するため、凹部１４１１の底面等で炎の侵入等を防ぎながら、通気孔１４１を介して通気を行うことができ、かつ蝙蝠等の軒天換気材１への侵入を防止することができるようになっている。なお、このような通気部１４１ｂは、例えば、通気板部１４に一対の切目を入れ、この後に、この一対の切れ目の間に対して押込み加工を施すことにより形成されてもよい。
【００３５】
なお、本実施形態では、通気孔１４１の形状は、スリット状でなくてもよく、スリットとは言えない幅広の四角形状であっても、円形等であってもよい。また、通気孔１４１は、凹部１４１１の側部に形成される構成に限定されず、平板部分に形成されてもよい。
【００３６】
また、通気板部１４は、その下端部分に、貫通孔である２つの水抜き用孔１４２が所定間隔を開けて形成され、水抜き用孔１４２を介して、通気空間Ｏ１の底部に溜まった雨水等を排水可能になっている。各水抜き用孔１４２は、上述した３つの通気部群１４１ａの間に一つずつ形成されている。もっとも、水抜き用孔１４２の形成位置は通気部群１４１ａの間に限定されず、水抜き用孔１４２の個数は、３つより多い又は少なくてもよい。
【００３７】
（軒天換気材１の各構成部の詳細説明：前板部１２）
図１（ａ）（ｂ）、図２及び図５を用いて前板部１２の構成を説明する。前板部１２は、軒天換気材１の前面を構成し、長方形（例えば、５０ｍｍ×９１０ｍｍの長方形）の平板状に形成されている。前板部１２は、垂直方向に延び、かつその長尺方向が左右方向に一致するように形成される。前板部１２は、その上縁が通気板部１４の上縁よりも上に位置するように形成されている。また、前板部１２の上縁には、この上縁から後方（例えば真後）に向かって略水平に延びるように、上板部１３が延設されている。
【００３８】
また、前板部１２の上部には、所定の間隔（例えば、６０１ｍｍ）をあけて、略水平方向に並ぶように、貫通孔である２つの取付け用孔１２１が形成されている。これによって、軒天換気材１は、取付け用孔１２１を介して、上面部１３の内側から、上板部１３の建物１００（鼻かくし用下地等）への取付け作業がなされるようになっている。なお、本実施形態では、取付け用孔１２１は、前板部１２の中心位置から略均等な距離にそれぞれ形成されているが、中心位置から異なった距離にそれぞれ形成されていてもよい。また、取付け用孔１２１は、２つ形成されているが、２つよりも多い又は少ない個数形成されてもよい。取付け用孔１２１は、正面視で楕円形に形成されているが、形状については特に楕円形に限定されず、真円に近い形状や四角形等であってもよい。
【００３９】
（軒天換気材１の各構成部の詳細説明：上板部１３）
図１（ａ）（ｂ）、図２、図３から図５を用いて上板部１３の構成を説明する。上板部１３は、軒天換気材１の上面を構成し、長方形の平板状に形成されている。上板部１３は、水平方向に延び、かつその長尺方向が左右方向に一致ように形成されている。上板部１３は、その後縁が底板部１１の後縁よりも更に後方まで延びるように形成されている。そして、上板部は、その後縁（後端）から下方（例えば、真下）に延びる雨返し板部１３ａを有している。
【００４０】
雨返し板部１３ａの下縁は、通気板部１４の上縁よりも上の位置に形成されており、かつ他の構成部に接続されていない。これによって、雨返し板部１３ａの下縁と通気板部１４の上縁との間が開放されており、開放部位Ｏ２が形成されている。この開放部位Ｏ２は、図３で示すように、小屋裏４００の換気のための換気口Ｏ４に対向配置される。このため、開放部位Ｏ２によって、底板部１１、前板部１２、上板部１３、及び通気板部１４で囲まれた通気空間Ｏ１と小屋裏４００との間の通気路が形成され、小屋裏４００に通気を行うことができるようになっている。また、軒天換気材１は、開放部位Ｏ２を介して炎や雨水が軒天換気材１の内部に侵入することを、雨返し板部１３ａによって効果的に防止することができるようになっている。
【００４１】
また、図２、図４で示すように、上板部１３の前方部分には、前板部１２に形成された２つの取付け用孔１２１に対応する位置に、２つの取付け用孔１３１が形成されている。この２つの取付け用孔１３１は、図５で示すように貫通孔として形成されており、図３で示すように鼻かくし用下地等にビス止め等が可能に形成されている。このように、取付け用孔１３１は、上板部１３を鼻かくし用下地等に固定するための孔である。また、上述した、前板部１２における取付け用孔１２１は、施工者が上板部１３を鼻かくし用下地等に固定する作業を行うための作業窓である。従って、取付け用孔１３１は、取付け用孔１２１に比較して、小サイズに形成されている。なお、取付け用孔１３１は、正面視で楕円形に形成されているが、形状については特に楕円形に限定されず、真円に近い形状や四角形等であってもよい。
【００４２】
（軒天換気材１の各構成部の詳細説明：見切板部１５）
図１（ｂ）、図２、図３及び図５を用いて見切板部１５の構成を説明する。見切板部１５は、通気板部１４の後方（例えば真後）に形成され、かつ、通気板部１４と略平行にかつ対向するように形成されている。また、見切板部１５は、その上下方向の寸法が通気板部１４の上下方向の寸法と略同一になるように、形成されている。見切板部１５は、平板が下端で折り返された形状を有し、前後で二重の形状（２層の形状）を有している。
【００４３】
見切板部１５は、その後側の層の上縁（上端）から後方に向かって上に傾斜するように形成された傾斜板部１７を更に備える。図３で示すように、見切板部１５は、例えば、コーキング材等によって外装材２００に固着されるためのものである。なお、傾斜板部１７が外装材２００の上端の上に位置するように、見切板部１５が外装材２００に固着されるようになっている。これによって、軒天換気材１は、建物１００の内部に侵入した雨水等を、傾斜板部１７によって底板部１１側に向かって流すことができるようになっている。なお、傾斜板部１７は、その後端部分１７ａが前方に折り返されて二重になっている。もっとも、この後端部分１７ａは、上方に延びるように屈曲されてもよく、また、屈曲されなくてもよい。
【００４４】
また、見切板部１５には、その前側の層の上縁から前方に略直角に延びるように、連結板部１６が延設されている。
【００４５】
（軒天換気材１の各構成部の詳細説明：連結板部１６）
図１（ａ）（ｂ）、図２及び図５を用いて連結板部１６の構成を説明する。連結板部１６は、長方形の平板状に形成されており、水平方向に延びるように形成されている。連結板部１６は、その長尺方向が左右方向に一致するように形成される。上述したように、連結板部１６は、その前縁には通気板部１４が下方に延設されており、その後縁には見切板部１５の前側の層が下方に延設されており、これによって、通気板部１４と見切板部１５とを連結するようになっている。このように、連結板部１６によって通気板部１４と見切板部１５とが連結されるため、見切板部１５を外装材２００に取り付けることで、軒天換気材１全体を外装材２００に取り付けることができる。
【００４６】
（軒天換気材１における空気の流れ）
以下に、図３、図７及び図８を用いて、軒天換気材１における空気の流れを説明する。図８は、本実施形態に係る軒天換気材における空気の流れの説明図である。各通気部１４１ｂにおいて、凹部１４１１の左右方向の各側部に形成された通気孔１４１から空気が通気空間Ｏ１に入り込む。なお、空気は、凹部１４１１の底面で遮られて、各側部に分岐して２つの通気孔１４１から入り込むようになっている。図８において矢印で示すように、通気孔１４１から通気空間Ｏ１に入り込んだ空気は、通気空間Ｏ１を通って、開放部位Ｏ２に到り、その後に、開放部位Ｏ２から換気口Ｏ４を通って小屋裏４００内に入り込む。このようにして、軒天換気材１は、小屋裏４００を通気して、小屋裏４００内を換気することができる。
【００４７】
（軒天換気材１の製造方法）
以下に、図１（ａ）（ｂ）及び図２を用いて、軒天換気材１の製造方法の一例を説明する。まず、１枚の金属製の平板を用意し、この平板に、取付け用孔１２１、１３１、及び水抜き用孔１４２を形成する。この後に、通気部１４１ｂを形成するために、平板に、通気部１４１ｂの形成位置に一対の切れ目を入れ、これらの切れ目の間に対して押込み加工を施す。この後に、平板を屈曲することで、底板部１１、前板部１２、上板部１３、雨返し板部１３ａ、通気板部１４、見切板部１５、連結板部１６、及び傾斜板部１７を形成する。なお、ここで説明した軒天換気材１の製造方法はあくまで一例であり、この方法と異なる方法で軒天換気材１を製造することができる。
【００４８】
（軒天換気材１の建物１００への取付け方法）
以下に、図１（ａ）（ｂ）、図２及び図３を用いて、軒天換気材１の建物１００への取付け方法を説明する。まず、傾斜板部１７が外装材２００の上方に位置するように、かつ、上板部１３を鼻かくし用下地に密着させるようにしながら、施工者が、見切板部１５の後面を外装材２００の表面に配置する。この後に、施工者は、前板部１２における取付け用孔１２１を介して、上板部１３の内側から取付け用孔１３１にビス等を当てて、このビス等を取付け用孔１３１から斜め上方に鼻かくし用下地に対して打ち込む。その後、施工者が、見切板部１５の後面と外装材２００との間にコーキング材を充填して、見切板部１５と外装材２００とを固着する。このようにして、見切板部１５と上板部１３とで建物１００に固定されるため、軒天換気材１を強固に建物１００に取り付けることができる。
【００４９】
なお、図３では、軒天換気材１を鼻かくし側（屋根の先端部分で樋がつく側）に取り付けているが、破風側（屋根の先端部分で樋がつかない側）に取り付けてもよい。
【符号の説明】
【００５０】
１                      軒天換気材
１１                    底板部
１２                    前板部
１２１                  取付け用孔（本発明の「第２の取付け用の孔」の一例）
１３                    上板部
１３１                  取付け用孔（本発明の「第１の取付け用の孔」の一例）
１３ａ                  雨返し板部
１４                    通気板部
１４１                  通気孔
１４２                  水抜き用孔
１５                    見切板部
１６                    連結板部
１７                    傾斜板部
１００                  建物
２００                  外装材（本発明の「外壁」の一例）
３００                  軒
４００                  小屋裏
Ｏ１                    通気空間
Ｏ２                    開放部位
【図１】
2014156704.tif 000003
【図２】
2014156704.tif 000004
【図３】
2014156704.tif 000005
【図４】
2014156704.tif 000006
【図５】
2014156704.tif 000007
【図６】
2014156704.tif 000008
【図７】
2014156704.tif 000009
【図８】
2014156704.tif 000010